(57)【要約】【課題】高精細化に伴う消費電力の増加や焼き付きの悪化を低減することの可能な発光パネル、ならびにそれを備えた表示装置および電子機器を提供する。【解決手段】発光パネルは、発光色の互いに異なる複数種類のサブピクセルを含む複数の画素を備えている。複数の画素のうちの１つである注目画素と、その注目画素に隣接して配置された画素である隣接画素とに着目したときに、注目画素内の１つのサブピクセルである第１サブピクセルの発光色と、第１サブピクセルに隣接する、隣接画素内の１つのサブピクセルである第２サブピクセルの発光色とが、互いに等しくなっている。【選択図】図３
2013058323.tif 000002
【特許請求の範囲】
【請求項１】
発光色の互いに異なる複数種類のサブピクセルを含む複数の画素を備え、
前記複数の画素のうちの１つである注目画素と、その注目画素に隣接して配置された画素である隣接画素とに着目したときに、前記注目画素内の１つのサブピクセルである第１サブピクセルの発光色と、前記第１サブピクセルに隣接する、前記隣接画素内の１つのサブピクセルである第２サブピクセルの発光色とが、互いに等しくなっている
発光パネル。
【請求項２】
前記第１サブピクセルおよび前記第２サブピクセルは、共通の有機層を有するとともに、サブピクセルごとに独立に設けられたアノード電極を有する
請求項１に記載の発光パネル。
【請求項３】
前記第１サブピクセルと前記第２サブピクセルとの間の距離は、前記第１サブピクセルと、前記注目画素内の他のサブピクセルとの間の距離よりも狭くなっている
請求項２に記載の発光パネル。
【請求項４】
表示パネルと、前記表示パネルを駆動する駆動回路とを備え、
前記表示パネルは、
発光色の互いに異なる複数種類のサブピクセルを含む複数の画素を有し、
前記複数の画素のうちの１つである注目画素と、その注目画素に隣接して配置された画素である隣接画素とに着目したときに、前記注目画素内の１つのサブピクセルである第１サブピクセルの発光色と、前記第１サブピクセルに隣接する、前記隣接画素内の１つのサブピクセルである第２サブピクセルの発光色とが、互いに等しくなっている
表示装置。
【請求項５】
表示装置を備え、
前記表示装置は、表示パネルと、前記表示パネルを駆動する駆動回路とを有し、
前記表示パネルは、
発光色の互いに異なる複数種類のサブピクセルを含む複数の画素を有し、
前記複数の画素のうちの１つである注目画素と、その注目画素に隣接して配置された画素である隣接画素とに着目したときに、前記注目画素内の１つのサブピクセルである第１サブピクセルの発光色と、前記第１サブピクセルに隣接する、前記隣接画素内の１つのサブピクセルである第２サブピクセルの発光色とが、互いに等しくなっている
電子機器。
【発明の詳細な説明】
【技術分野】
【０００１】
本技術は、例えば有機ＥＬ(electro luminescence)素子などの自発光素子を備えた発光パネルならびにそれを備えた表示装置および電子機器に関する。
【背景技術】
【０００２】
近年、画像表示を行う表示装置の分野では、画素の発光素子として、流れる電流値に応じて発光輝度が変化する電流駆動型の光学素子、例えば有機ＥＬ素子を用いた表示装置が開発され、商品化が進められている（例えば、特許文献１参照）。有機ＥＬ素子は、液晶素子などと異なり自発光素子である。そのため、有機ＥＬ素子を用いた表示装置（有機ＥＬ表示装置）では、光源（バックライト）が必要ないので、光源を必要とする液晶表示装置と比べて画像の視認性が高く、消費電力が低く、かつ素子の応答速度が速い。
【先行技術文献】
【特許文献】
【０００３】
【特許文献１】特開２０１１−２３２４０号公報
【発明の概要】
【発明が解決しようとする課題】
【０００４】
ところで、有機ＥＬ表示装置において、各サブピクセルの有機ＥＬ素子は、マスクを介して有機材料を蒸着することにより形成される。図１８は、有機層を蒸着する手順の一例を表したものである。例えば、図１８（Ａ）に示したように、赤色用のサブピクセルを形成する位置に対応して開口Ｈｒを有するマスクＭｒを用意する。次に、マスクＭｒを介して、赤色用の有機材料を蒸着する。これにより、赤色用のサブピクセルを形成する位置に対応して有機層Ｅｒが形成される（図１８（Ｂ））。
【０００５】
このとき、赤色用の有機材料が、他の色のサブピクセルを形成する位置にまで蒸着されるのを防ぐために、開口Ｈｒに対して、開口Ｈｒの精度や、マスクＭｒの位置合わせ精度などを考慮したマージンが取られている。そのため、サブピクセルの開口は、例えば、図中の破線で示したように、マスクの開口Ｈｒよりも小さくならざるを得ない。その結果、高精細パネルでは、サブピクセルの開口が非常に小さくなってしまうので、電流密度が上り、消費電力が増加し、焼き付きが悪化してしまうという問題があった。
【０００６】
本技術はかかる問題点に鑑みてなされたものであり、その目的は、高精細化に伴う消費電力の増加や焼き付きの悪化を低減することの可能な発光パネル、ならびにそれを備えた表示装置および電子機器を提供することにある。
【課題を解決するための手段】
【０００７】
本技術による発光パネルは、発光色の互いに異なる複数種類のサブピクセルを含む複数の画素を備えている。複数の画素のうちの１つである注目画素と、その注目画素に隣接して配置された画素である隣接画素とに着目したときに、注目画素内の１つのサブピクセルである第１サブピクセルの発光色と、第１サブピクセルに隣接する、隣接画素内の１つのサブピクセルである第２サブピクセルの発光色とが、互いに等しくなっている。
【０００８】
本技術による表示装置は、上述の発光パネルを表示パネルとして備えており、さらに、その表示パネルを駆動する駆動回路も備えている。本技術による電子機器は、上記の表示装置を備えている。
【０００９】
本技術による発光パネル、表示装置および電子機器では、注目画素内の第１サブピクセルの発光色と、第１サブピクセルに隣接する、隣接画素内の１つのサブピクセルである第２サブピクセルの発光色とが、互いに等しくなっている。これにより、これら２つのサブピクセルの一部を共通化することが可能となる。例えば、これら２つのサブピクセルが、有機層を含んで構成されている場合に、これら２つのサブピクセルの有機層を共通の有機層で構成することが可能である。このようにした場合には、これら２つのサブピクセルの有機層を、マスク内の１つの開口を介した蒸着により形成することができる。マスクの開口を共用することにより、これら２つのサブピクセルに対してマージンを設ける必要がなくなるので、その分だけ、それぞれのサブピクセルに対して、大きな開口を割り当てることができる。
【発明の効果】
【００１０】
本技術による発光パネル、表示装置および電子機器によれば、それぞれのサブピクセルに対して、大きな開口を割り当てることができるようにしたので、高精細化に伴う消費電力の増加や焼き付きの悪化を低減することができる。
【図面の簡単な説明】
【００１１】
【図１】本技術による一実施の形態に係る表示装置の構成の一例を表す図である。
【図２】図１のサブピクセルの回路構成の一例を表す図である。
【図３】図１のサブピクセルのレイアウトの一例を表す図である。
【図４】図３のレイアウトの拡大図である。
【図５】図３のＡ−Ａ矢視方向の断面構成の一例を表す図である。
【図６】隣接画素間において共用された有機層のレイアウトの一例を表す図である。
【図７】図６の有機層を形成する際に用いるマスクの開口のレイアウトの一例を表す図である。
【図８】図１のサブピクセルのレイアウトの他の例を表す図である。
【図９】図１の表示装置の構成の他の例を表す図である。
【図１０】図９のサブピクセルのレイアウトの一例を表す図である。
【図１１】図１０のサブピクセルのレイアウトの一変形例を表す図である。
【図１２】上記実施の形態およびその変形例に係る表示装置を含むモジュールの概略構成を表す平面図である。
【図１３】上記実施の形態およびその変形例に係る表示装置の適用例１の外観を表す斜視図である。
【図１４】（Ａ）は適用例２の表側から見た外観を表す斜視図であり、（Ｂ）は裏側から見た外観を表す斜視図である。
【図１５】適用例３の外観を表す斜視図である。
【図１６】適用例４の外観を表す斜視図である。
【図１７】（Ａ）は適用例５の開いた状態の正面図、（Ｂ）はその側面図、（Ｃ）は閉じた状態の正面図、（Ｄ）は左側面図、（Ｅ）は右側面図、（Ｆ）は上面図、（Ｇ）は下面図である。
【図１８】従来のサブピクセルの製造方法について説明するための図である。
【図１９】従来のサブピクセルのレイアウトの一例を表す図である。
【発明を実施するための形態】
【００１２】
以下、発明を実施するための形態について、図面を参照して詳細に説明する。なお、説明は以下の順序で行う。
１．実施の形態
２．変形例
３．モジュールおよび適用例
【００１３】
＜１．実施の形態＞
[構成]
図１は、一実施の形態に係る表示装置１の全体構成の一例を表したものである。この表示装置１は、表示パネル１０と、表示パネル１０を駆動する駆動回路２０とを備えている。
【００１４】
表示パネル１０は、複数の表示画素１４が２次元配置された表示領域１０Ａを有している。表示パネル１０は、外部から入力された映像信号２０Ａに基づく画像を、各表示画素１４をアクティブマトリクス駆動することにより表示するものである。各表示画素１４は、発光色の互いに異なる複数種類のサブピクセルを含んでいる。具体的には、各表示画素１４は、赤色用のサブピクセル１３Ｒと、緑色用のサブピクセル１３Ｇと、青色用のサブピクセル１３Ｂとを含んでいる。なお、以下では、サブピクセル１３Ｒ，１３Ｇ，１３Ｂの総称としてサブピクセル１３を用いるものとする。
【００１５】
図２は、サブピクセル１３の回路構成の一例を表したものである。サブピクセル１３は、図２に示したように、有機ＥＬ素子１１と、有機ＥＬ素子１１を駆動する画素回路１２とを有している。なお、サブピクセル１３Ｒには、有機ＥＬ素子１１として、赤色のＥＬ光を発する有機ＥＬ素子１１Ｒが設けられている。同様に、サブピクセル１３Ｇには、有機ＥＬ素子１１として、緑色のＥＬ光を発する有機ＥＬ素子１１Ｇが設けられている。サブピクセル１３Ｂには、有機ＥＬ素子１１として、青色のＥＬ光を発する有機ＥＬ素子１１Ｂが設けられている。
【００１６】
画素回路１２は、例えば、書込トランジスタＴｗｓと、駆動トランジスタＴｄｒと、保持容量Ｃｓとを含んで構成されたものであり、２Ｔｒ１Ｃの回路構成となっている。なお、画素回路１２は、２Ｔｒ１Ｃの回路構成に限られるものではなく、互いに直列接続された２つの書込トランジスタＴｗｓを有していてもよいし、上記以外のトランジスタや、容量を有していてもよい。
【００１７】
書込トランジスタＴｗｓは、映像信号２０Ａに対応する電圧を保持容量Ｃｓに書き込むトランジスタである。駆動トランジスタＴｄｒは、書込トランジスタＴｗｓによって書き込まれた保持容量Ｃｓの電圧に基づいて有機ＥＬ素子１１を駆動するトランジスタである。書込トランジスタＴｗｓおよび駆動トランジスタＴｄｒは、例えば、ｎチャネルＭＯＳ型の薄膜トランジスタ（ＴＦＴ（Thin Film Transistor））により構成されている。なお、書込トランジスタＴｗｓおよび駆動トランジスタＴｄｒは、ｐチャネルＭＯＳ型のＴＦＴにより構成されていてもよい。
【００１８】
駆動回路２０は、タイミング生成回路２１、映像信号処理回路２２、データ線駆動回路２３、ゲート線駆動回路２４およびドレイン線駆動回路２５を有している。駆動回路２０は、また、データ線駆動回路２３の出力に接続されたデータ線ＤＴＬと、ゲート線駆動回路２４の出力に接続されたゲート線ＷＳＬと、ドレイン線駆動回路２５の出力に接続されたドレイン線ＤＳＬとを有している。駆動回路２０は、さらに、有機ＥＬ素子１１のカソードに接続されたグラウンド線ＧＮＤ（図２参照）を有している。なお、グラウンド線ＧＮＤは、グラウンドに接続されるものであり、グラウンドに接続されたときにグラウンド電圧となる。
【００１９】
タイミング生成回路２１は、例えば、データ線駆動回路２３、ゲート線駆動回路２４およびドレイン線駆動回路２５が連動して動作するように制御するものである。タイミング生成回路２１は、例えば、外部から入力された同期信号２０Ｂに応じて（同期して）、これらの回路に対して制御信号２１Ａを出力するようになっている。
【００２０】
映像信号処理回路２２は、例えば、外部から入力されたデジタルの映像信号２０Ａを補正すると共に、補正した後の映像信号をアナログに変換して信号電圧２２Ｂをデータ線駆動回路２３に出力するものである。
【００２１】
データ線駆動回路２３は、制御信号２１Ａの入力に応じて（同期して）、映像信号処理回路２２から入力されたアナログの信号電圧２２Ｂを、各データ線ＤＴＬを介して、選択対象の表示画素１４（またはサブピクセル１３）に書き込むものである。データ線駆動回路２３は、例えば、信号電圧２２Ｂと、映像信号とは無関係の一定電圧とを出力することが可能となっている。
【００２２】
ゲート線駆動回路２４は、制御信号２１Ａの入力に応じて（同期して）、複数のゲート線ＷＳＬに選択パルスを順次印加して、複数の表示画素１４（またはサブピクセル１３）をゲート線ＷＳＬ単位で順次選択するものである。ゲート線駆動回路２４は、例えば、書込トランジスタＴｗｓをオンさせるときに印加する電圧と、書込トランジスタＴｗｓをオフさせるときに印加する電圧とを出力することが可能となっている。
【００２３】
ドレイン線駆動回路２５は、制御信号２１Ａの入力に応じて（同期して）、所定の電圧を、各ドレイン線ＤＳＬを介して、各画素回路１２の駆動トランジスタＴｄｒのドレインに出力するようになっている。ドレイン線駆動回路２５は、例えば、有機ＥＬ素子１１を発光させるときに印加する電圧と、有機ＥＬ素子１１を消光させるときに印加する電圧とを出力することが可能となっている。
【００２４】
次に、図２を参照して、各構成要素の接続関係および配置について説明する。ゲート線ＷＳＬは、行方向に延在して形成されており、書込トランジスタＴｗｓのゲートに接続されている。ドレイン線ＤＳＬも行方向に延在して形成されており、駆動トランジスタＴｄｒのドレインに接続されている。データ線ＤＴＬは列方向に延在して形成されており、書込トランジスタＴｗｓのドレインに接続されている。
【００２５】
書込トランジスタＴｗｓのソースは、駆動トランジスタＴｄｒのゲートと、保持容量Ｃｓの一端とに接続されている。駆動トランジスタＴｄｒのソースと保持容量Ｃｓの他端（書込トランジスタＴｗｓに未接続の端子）とが、有機ＥＬ素子１１のアノードに接続されている。有機ＥＬ素子１１のカソードは、グラウンド線ＧＮＤに接続されている。カソードは、例えば、表示領域１０Ａ全面に渡って形成されている。
【００２６】
次に、図３を参照して、サブピクセル１３および表示画素１４のレイアウトについて説明する。図３は、サブピクセル１３および表示画素１４のレイアウトの一例を表したものである。
【００２７】
表示画素１４は、例えば、互いに直交する行方向および列方向に２次元配置されている。各表示画素１４は、発光色の互いに異なる複数種類のサブピクセル１３を含んで構成されており、例えば、３種類のサブピクセル１３Ｒ，１３Ｇ，１３Ｂを含んで構成されている。図３では、サブピクセル１３Ｒと、サブピクセル１３Ｇとがともに、表示画素１４の４隅の１つに配置されており、サブピクセル１３Ｂは、表示画素１４の４隅の２つにまたがって配置されている。サブピクセル１３Ｒと、サブピクセル１３Ｇとは、行方向に延在する帯状の形状となっており、一方のサブピクセル１３Ｂは、列方向に延在する帯状の形状となっている。
【００２８】
以下、図３中で、３種類のサブピクセル１３Ｒ，１３Ｇ，１３Ｂが太線で表された表示画素１４を注目画素と称し、その注目画素に隣接して配置された８つの表示画素１４を隣接画素と称するものとする。
【００２９】
これら注目画素および８つの隣接画素に着目したときに、注目画素内の１つのサブピクセルである第１サブピクセルの発光色と、そのサブピクセルに隣接する、３つの隣接画素内の１つのサブピクセルである第２サブピクセルの発光色とが、互いに等しくなっている。例えば、注目画素内のサブピクセル１３Ｒの発光色と、注目画素内のサブピクセル１３Ｒに隣接する、３つの隣接画素内の各サブピクセル１３Ｒの発光色とが、互いに等しくなっている。同様に、例えば、注目画素内のサブピクセル１３Ｇの発光色と、注目画素内のサブピクセル１３Ｇに隣接する、３つの隣接画素内の各サブピクセル１３Ｇの発光色とが、互いに等しくなっている。さらに、例えば、注目画素内のサブピクセル１３Ｂの発光色と、注目画素内のサブピクセル１３Ｂに隣接する、５つの隣接画素内の各サブピクセル１３Ｂの発光色とが、互いに等しくなっている。
【００３０】
図４は、１つの表示画素１４を拡大して表したものである。表示画素１４の１辺の長さをｄ４とし、サブピクセル１３Ｂとサブピクセル１３Ｇとの間の距離をｄ１とし、サブピクセル１３Ｇとサブピクセル１３Ｒとの間の距離をｄ２とし、行方向に互いに隣接するサブピクセル１３Ｂ同士の間の距離をｄ３とする。ここで、ｄ３は、ｄ１，ｄ２よりも狭くなっており、例えば、ｄ１，ｄ２の１／５倍程度の大きさとなっている。
【００３１】
サブピクセル１３Ｒの開口面積は、２（ｄ４−ｄ１−２ｄ３）（ｄ４−ｄ２−２ｄ３）／３で表される。同様に、サブピクセル１３Ｇの開口面積は、２（ｄ４−ｄ１−２ｄ３）（ｄ４−ｄ２−２ｄ３）／３で表される。また、サブピクセル１３Ｂの開口面積は、（ｄ４−ｄ１−２ｄ３）（ｄ４−ｄ２）／３で表される。一方、図１９に示したようなストライプ配列のときの各サブピクセルの開口面積は、（ｄ７−３ｄ５）（ｄ７−２ｄ６）／３で表される。なお、ｄ５は、赤色用のサブピクセルと緑色用のサブピクセルとの間の距離である。ｄ６は、列方向に互いに隣接する赤色用のサブピクセル同士の間の距離である。ｄ７は、表示画素の１辺の長さである。ここで、ｄ１＝ｄ２＝ｄ５＝ｄ６＝２５μｍ、ｄ３＝５μｍとすると、本実施の形態におけるサブピクセル１３Ｒ，１３Ｇ，１３Ｂの開口率は、図１９に示したようなストライプ配列のときの各サブピクセルの開口率よりも格段に大きくなっている。
【００３２】
次に、図５を参照して、表示パネル１０の表示領域１０Ａにおける断面構成について説明する。なお、図５は、表示パネル１０の断面構成の一例を表したものである。
【００３３】
表示パネル１０は、例えば、図５に示したように、表示領域１０Ａにおいて、画素回路１２の形成された回路基板３１上に有機ＥＬ素子１１（１１Ｒ，１１Ｇ，１１Ｂ）を有している。有機ＥＬ素子１１は、有機層３４を反射電極３２および透明電極３５で挟み込んだ構造となっている。反射電極３２は、回路基板３１側に形成されており、例えば、有機ＥＬ素子１１のアノード電極として機能する。反射電極３２は、サブピクセル１３ごとに独立に設けられたものである。反射電極３２は、金属材料で構成されており、反射ミラーとしても機能する。一方、透明電極３５は、回路基板３１とは反対側に形成されており、例えば、有機ＥＬ素子１１のカソード電極として機能する。透明電極３５は、各サブピクセル１３を覆うように形成されており、各サブピクセル１３において共通の電極として機能する。透明電極３５は、可視光に対して透明な導電性材料によって構成されている。有機層３４は、例えば、反射電極３２側から順に、正孔注入効率を高める正孔注入層と、発光層への正孔輸送効率を高める正孔輸送層と、電子と正孔との再結合による発光を生じさせる発光層と、発光層への電子輸送効率を高める電子輸送層とを有している。これにより、サブピクセル１３は、有機ＥＬ素子１１の有機層３４から発せられた光が、透明電極３５を介して外部に出力されるか、または、反射電極３２で反射された後、有機層３４および透明電極３５を介して外部に出力されるように構成されている。
【００３４】
図６は、有機層３４の面内レイアウトの一例を表したものである。注目画素内のサブピクセル１３Ｒと、注目画素内のサブピクセル１３Ｒに隣接する、３つの隣接画素内の各サブピクセル１３Ｒとは、互いに共通の有機層３４（赤色用の有機層３４Ｒ）を有している。つまり、有機層３４Ｒは、互いに隣接する４つのサブピクセル１３Ｒにおいて共用されている。同様に、注目画素内のサブピクセル１３Ｇと、注目画素内のサブピクセル１３Ｇに隣接する、３つの隣接画素内の各サブピクセル１３Ｇとは、互いに共通の有機層３４（緑色用の有機層３４Ｇ）を有している。つまり、有機層３４Ｇは、互いに隣接する４つのサブピクセル１３Ｇにおいて共用されている。また、注目画素内のサブピクセル１３Ｂと、注目画素内のサブピクセル１３Ｂに隣接する、３つの隣接画素内の各サブピクセル１３Ｂとは、互いに共通の有機層３４（青色用の有機層３４Ｂ）を有している。つまり、有機層３４Ｂは、互いに隣接する４つのサブピクセル１３Ｂにおいて共用されている。
【００３５】
有機層３４Ｒは、例えば、図７に示したように、互いに隣接する４つのサブピクセル１３Ｒの形成される位置に開口Ｈｒを有する赤色用のマスクの１つの開口Ｈｒを介した蒸着により形成されている。同様に、有機層３４Ｇは、例えば、図７に示したように、互いに隣接する４つのサブピクセル１３Ｇの形成される位置に開口Ｈｇを有する緑色用のマスクの１つの開口Ｈｇを介した蒸着により形成されている。また、有機層３４Ｂは、例えば、図７に示したように、互いに隣接する４つ以上のサブピクセル１３Ｂの形成される位置に開口Ｈｂを有する青色用のマスクの１つの開口Ｈｂを介した蒸着により形成されている。このように、有機層３４Ｒ，３４Ｇ，３４Ｂは、互いに隣接する複数のサブピクセル１３ごとに、１つの開口Ｈｒ，Ｈｇ，Ｈｂで一括して形成されている。そのため、互いに隣接するサブピクセル１３Ｒに対してマージンを設ける必要がないので、その分だけ、それぞれのサブピクセル１３Ｒに対して、大きな開口が割り当てられている。同様に、互いに隣接するサブピクセル１３Ｇに対してマージンを設ける必要がないので、その分だけ、それぞれのサブピクセル１３Ｇに対して、大きな開口が割り当てられている。また、互いに隣接するサブピクセル１３Ｂに対してマージンを設ける必要がないので、その分だけ、それぞれのサブピクセル１３Ｂに対して、大きな開口が割り当てられている。
【００３６】
［動作］
次に、本実施の形態の表示装置１の動作の一例について説明する。
【００３７】
この表示装置１では、映像信号２０Ａに対応する信号電圧２２Ｂがデータ線駆動回路２３によって各データ線ＤＴＬに印加されると共に、制御信号２１Ａに応じた選択パルスがゲート線駆動回路２４およびドレイン線駆動回路２５によって複数のゲート線ＷＳＬおよびドレイン線ＤＳＬに順次印加される。これにより、各サブピクセル１３において画素回路１２がオンオフ制御され、各サブピクセル１３の有機ＥＬ素子１１に駆動電流が注入されることにより、正孔と電子とが再結合して発光が起こり、その光が外部に取り出される。その結果、表示パネル１０の表示領域１０Ａにおいて画像が表示される。
【００３８】
［効果］
次に、本実施の形態の表示装置１の効果について説明する。
【００３９】
従来から、有機ＥＬ表示装置において、各サブピクセルの有機ＥＬ素子は、マスクを介して有機材料を蒸着することにより形成されている。図１８は、有機層を蒸着する手順の一例を表したものである。例えば、図１８（Ａ）に示したように、赤色用のサブピクセルを形成する位置に対応して開口Ｈｒを有するマスクＭｒを用意する。次に、マスクＭｒを介して、赤色用の有機材料を蒸着する。これにより、赤色用のサブピクセルを形成する位置に対応して有機層Ｅｒが形成される（図１８（Ｂ））。
【００４０】
このとき、赤色用の有機材料が、他の色のサブピクセルを形成する位置にまで蒸着されるのを防ぐために、開口Ｈｒに対して、開口Ｈｒの精度や、マスクＭｒの位置合わせ精度などを考慮したマージンが取られている。そのため、サブピクセルの開口は、例えば、図中の破線で示したように、マスクの開口Ｈｒよりも小さくならざるを得ない。その結果、高精細パネルでは、サブピクセルの開口が非常に小さくなってしまうので、電流密度が上り、消費電力が増加し、焼き付きが悪化してしまうという問題があった。
【００４１】
一方、本実施の形態では、注目画素内の第１サブピクセルの発光色と、第１サブピクセルに隣接する、隣接画素内の１つのサブピクセルである第２サブピクセルの発光色とが、互いに等しくなっている。これにより、これら２つのサブピクセルの一部を共通化することが可能となる。例えば、図６に示したように、注目画素内のサブピクセル１３Ｒと、注目画素内のサブピクセル１３Ｒに隣接する、３つの隣接画素内の各サブピクセル１３Ｒとにおいて、有機層３４（赤色用の有機層３４Ｒ）が共通化されている。同様に、注目画素内のサブピクセル１３Ｇと、注目画素内のサブピクセル１３Ｇに隣接する、３つの隣接画素内の各サブピクセル１３Ｇとにおいて、有機層３４（緑色用の有機層３４Ｇ）が共通化されている。さらに、注目画素内のサブピクセル１３Ｂと、注目画素内のサブピクセル１３Ｂに隣接する、３つの隣接画素内の各サブピクセル１３Ｂとにおいて、有機層３４（青色用の有機層３４Ｂ）が共通化されている。
【００４２】
従って、有機層３４Ｒ、有機層３４Ｇおよび有機層３４Ｂをそれぞれ、マスク内の１つの開口を介した蒸着により形成することができる。マスクの開口を共用することにより、これら２つのサブピクセルに対してマージンを設ける必要がなくなるので、その分だけ、それぞれのサブピクセルに対して、大きな開口を割り当てることができる。その結果、高精細化に伴う消費電力の増加や焼き付きの悪化を低減することができる。
【００４３】
＜２．変形例＞
[変形例１]
サブピクセル１３Ｒ，１３Ｇ，１３Ｂのレイアウトは、上記実施の形態の記載に限定されるものではない。例えば、図８に示したように、サブピクセル１３Ｒ，１３Ｇ，１３Ｂのレイアウトがストライプ配列となっていてもよい。ただし、この場合にも、上記実施の形態と同様、有機層３４が複数のサブピクセル１３同士の間で共通化されている。
【００４４】
図８は、サブピクセル１３および表示画素１４のレイアウトの一変形例を表したものである。表示画素１４は、例えば、図８に示したように、互いに直交する行方向および列方向に２次元配置されている。各表示画素１４は、発光色の互いに異なる複数種類のサブピクセル１３を含んで構成されており、例えば、図８に示したように、３種類のサブピクセル１３Ｒ，１３Ｇ，１３Ｂを含んで構成されている。図８では、サブピクセル１３Ｂと、サブピクセル１３Ｒとがともに、表示画素１４の４隅の２つにまたがって配置されており、サブピクセル１３Ｇは、サブピクセル１３Ｂと、サブピクセル１３Ｒとの間に配置されている。サブピクセル１３Ｒ，１３Ｇ，１３Ｂはともに、列方向に延在する帯状の形状となっている。図８中で、３種類のサブピクセル１３Ｒ，１３Ｇ，１３Ｂが太線で表された表示画素１４を注目画素と称し、その注目画素に隣接して配置された８つの表示画素１４を隣接画素と称するものとする。
【００４５】
これら注目画素および８つの隣接画素に着目したときに、注目画素内の１つのサブピクセルである第１サブピクセルの発光色と、そのサブピクセルに隣接する、３つの隣接画素内の１つのサブピクセルである第２サブピクセルの発光色とが、互いに等しくなっている。例えば、注目画素内のサブピクセル１３Ｒの発光色が、注目画素内のサブピクセル１３Ｒに隣接する、５つの隣接画素内の各サブピクセル１３Ｒの発光色とが、互いに等しくなっている。同様に、例えば、注目画素内のサブピクセル１３Ｂの発光色が、注目画素内のサブピクセル１３Ｂに隣接する、５つの隣接画素内の各サブピクセル１３Ｂの発光色とが、互いに等しくなっている。さらに、例えば、注目画素内のサブピクセル１３Ｇの発光色が、注目画素内のサブピクセル１３Ｇに隣接する、２つの隣接画素内の各サブピクセル１３Ｇの発光色とが、互いに等しくなっている。
【００４６】
本変形例におけるサブピクセル１３Ｒ，１３Ｇ，１３Ｂの開口率は、上記実施の形態と同様、図１９に示したようなストライプ配列のときの各サブピクセルの開口率よりも格段に大きくなっている。
【００４７】
注目画素内のサブピクセル１３Ｒと、注目画素内のサブピクセル１３Ｒに隣接する、５つの隣接画素内の各サブピクセル１３Ｒとは、互いに共通の有機層３４（赤色用の有機層３４Ｒ）を有している。つまり、有機層３４Ｒは、互いに隣接する６つのサブピクセル１３Ｒにおいて共用されている。同様に、注目画素内のサブピクセル１３Ｂと、注目画素内のサブピクセル１３Ｂに隣接する、５つの隣接画素内の各サブピクセル１３Ｂとは、互いに共通の有機層３４（青色用の有機層３４Ｂ）を有している。つまり、有機層３４Ｂは、互いに隣接する６つのサブピクセル１３Ｂにおいて共用されている。また、注目画素内のサブピクセル１３Ｇと、注目画素内のサブピクセル１３Ｇに隣接する、２つの隣接画素内の各サブピクセル１３Ｇとは、互いに共通の有機層３４（緑色用の有機層３４Ｇ）を有している。つまり、有機層３４Ｇは、互いに隣接する３つのサブピクセル１３Ｇにおいて共用されている。
【００４８】
本変形例においても、有機層３４Ｒは、例えば、図示しないが、互いに隣接する６つ以上のサブピクセル１３Ｒの形成される位置に開口Ｈｒを有する赤色用のマスクの１つの開口Ｈｒを介した蒸着により形成されている。同様に、有機層３４Ｂは、例えば、図示しないが、互いに隣接する６つ以上のサブピクセル１３Ｂの形成される位置に開口Ｈｂを有する青色用のマスクの１つの開口Ｈｂを介した蒸着により形成されている。また、有機層３４Ｇは、例えば、図示しないが、互いに隣接する３つ以上のサブピクセル１３Ｇの形成される位置に開口Ｈｇを有する緑色用のマスクの１つの開口Ｈｇを介した蒸着により形成されている。このように、有機層３４Ｒ，３４Ｇ，３４Ｂは、互いに隣接する複数のサブピクセル１３ごとに、１つの開口Ｈｒ，Ｈｇ，Ｈｂで一括して形成されている。そのため、互いに隣接するサブピクセル１３Ｒに対してマージンを設ける必要がないので、その分だけ、それぞれのサブピクセル１３Ｒに対して、大きな開口が割り当てられている。同様に、互いに隣接するサブピクセル１３Ｇに対してマージンを設ける必要がないので、その分だけ、それぞれのサブピクセル１３Ｇに対して、大きな開口が割り当てられている。また、互いに隣接するサブピクセル１３Ｂに対してマージンを設ける必要がないので、その分だけ、それぞれのサブピクセル１３Ｂに対して、大きな開口が割り当てられている。従って、本変形例においても、高精細化に伴う消費電力の増加や焼き付きの悪化を低減することができる。
【００４９】
[変形例２]
【００５０】
なお、上記実施の形態および変形例１では、表示パネル１０は、ＲＧＢ３原色のサブピクセル１３Ｒ，１３Ｇ，１３Ｂを有していたが、例えば、図９に示したように、ＲＧＢＷ４原色のサブピクセル１３Ｒ，１３Ｇ，１３Ｂ，１３Ｗを有していてもよい。
【００５１】
この場合に、サブピクセル１３Ｒ，１３Ｇ，１３Ｂ，１３Ｗは、例えば、図１０に示したように、四角形に配置されたレイアウトとなっていてもよい。ただし、この場合にも、上記実施の形態と同様、有機層３４が複数のサブピクセル１３同士の間で共通化されている。
【００５２】
表示画素１４は、例えば、図１０に示したように、互いに直交する行方向および列方向に２次元配置されている。各表示画素１４は、発光色の互いに異なる複数種類のサブピクセル１３を含んで構成されており、例えば、図１０に示したように、４種類のサブピクセル１３Ｒ，１３Ｇ，１３Ｂ，１３Ｗを含んで構成されている。図１０では、各サブピクセル１３Ｒ，１３Ｇ，１３Ｂ，１３Ｗが、表示画素１４の４隅に１つずつ配置されている。サブピクセル１３Ｒ，１３Ｇ，１３Ｂ，１３Ｗはともに、方形状となっている。図１０中で、４種類のサブピクセル１３Ｒ，１３Ｇ，１３Ｂ，１３Ｗが太線で表された表示画素１４を注目画素と称し、その注目画素に隣接して配置された８つの表示画素１４を隣接画素と称するものとする。
【００５３】
これら注目画素および８つの隣接画素に着目したときに、注目画素内の１つのサブピクセルである第１サブピクセルの発光色と、そのサブピクセルに隣接する、３つの隣接画素内の１つのサブピクセルである第２サブピクセルの発光色とが、互いに等しくなっている。例えば、注目画素内のサブピクセル１３Ｒの発光色が、注目画素内のサブピクセル１３Ｒに隣接する、３つの隣接画素内の各サブピクセル１３Ｒの発光色とが、互いに等しくなっている。同様に、例えば、注目画素内のサブピクセル１３Ｇの発光色が、注目画素内のサブピクセル１３Ｇに隣接する、３つの隣接画素内の各サブピクセル１３Ｇの発光色とが、互いに等しくなっている。また、例えば、注目画素内のサブピクセル１３Ｂの発光色が、注目画素内のサブピクセル１３Ｂに隣接する、３つの隣接画素内の各サブピクセル１３Ｂの発光色とが、互いに等しくなっている。さらに、例えば、注目画素内のサブピクセル１３Ｗの発光色が、注目画素内のサブピクセル１３Ｗに隣接する、３つの隣接画素内の各サブピクセル１３Ｗの発光色とが、互いに等しくなっている。
【００５４】
本変形例におけるサブピクセル１３Ｒ，１３Ｇ，１３Ｂ，１３Ｗの開口率は、上記実施の形態と同様、図１９に示したようなストライプ配列のときの各サブピクセルの開口率よりも格段に大きくなっている。
【００５５】
注目画素内のサブピクセル１３Ｒと、注目画素内のサブピクセル１３Ｒに隣接する、３つの隣接画素内の各サブピクセル１３Ｒとは、互いに共通の有機層３４（赤色用の有機層３４Ｒ）を有している。つまり、有機層３４Ｒは、互いに隣接する４つのサブピクセル１３Ｒにおいて共用されている。同様に、注目画素内のサブピクセル１３Ｇと、注目画素内のサブピクセル１３Ｇに隣接する、３つの隣接画素内の各サブピクセル１３Ｇとは、互いに共通の有機層３４（緑色用の有機層３４Ｇ）を有している。つまり、有機層３４Ｇは、互いに隣接する４つのサブピクセル１３Ｇにおいて共用されている。また、注目画素内のサブピクセル１３Ｂと、注目画素内のサブピクセル１３Ｂに隣接する、３つの隣接画素内の各サブピクセル１３Ｂとは、互いに共通の有機層３４（青色用の有機層３４Ｂ）を有している。つまり、有機層３４Ｂは、互いに隣接する４つのサブピクセル１３Ｂにおいて共用されている。さらに、注目画素内のサブピクセル１３Ｗと、注目画素内のサブピクセル１３Ｗに隣接する、３つの隣接画素内の各サブピクセル１３Ｗとは、互いに共通の有機層３４（白色用の有機層３４Ｗ）を有している。つまり、有機層３４Ｗは、互いに隣接する４つのサブピクセル１３Ｗにおいて共用されている。
【００５６】
本変形例においても、有機層３４Ｒは、例えば、図示しないが、互いに隣接する４つのサブピクセル１３Ｒの形成される位置に開口Ｈｒを有する赤色用のマスクの１つの開口Ｈｒを介した蒸着により形成されている。同様に、有機層３４Ｇは、例えば、図示しないが、互いに隣接する４つのサブピクセル１３Ｇの形成される位置に開口Ｈｇを有する緑色用のマスクの１つの開口Ｈｇを介した蒸着により形成されている。また、有機層３４Ｂは、例えば、図示しないが、互いに隣接する４つのサブピクセル１３Ｂの形成される位置に開口Ｈｂを有する青色用のマスクの１つの開口Ｈｂを介した蒸着により形成されている。さらに、有機層３４Ｗは、例えば、図示しないが、互いに隣接する４つのサブピクセル１３Ｗの形成される位置に開口Ｈｗを有する白色用のマスクの１つの開口Ｈｗを介した蒸着により形成されている。
【００５７】
このように、有機層３４Ｒ，３４Ｇ，３４Ｂ，１３Ｗは、互いに隣接する複数のサブピクセル１３ごとに、１つの開口Ｈｒ，Ｈｇ，Ｈｂ，Ｈｗで一括して形成されている。そのため、互いに隣接するサブピクセル１３Ｒに対してマージンを設ける必要がないので、その分だけ、それぞれのサブピクセル１３Ｒに対して、大きな開口が割り当てられている。同様に、互いに隣接するサブピクセル１３Ｇに対してマージンを設ける必要がないので、その分だけ、それぞれのサブピクセル１３Ｇに対して、大きな開口が割り当てられている。また、互いに隣接するサブピクセル１３Ｂに対してマージンを設ける必要がないので、その分だけ、それぞれのサブピクセル１３Ｂに対して、大きな開口が割り当てられている。さらに、互いに隣接するサブピクセル１３Ｗに対してマージンを設ける必要がないので、その分だけ、それぞれのサブピクセル１３Ｗに対して、大きな開口が割り当てられている。従って、本変形例においても、高精細化に伴う消費電力の増加や焼き付きの悪化を低減することができる。
【００５８】
[変形例４]
【００５９】
なお、上記変形例２では、表示パネル１０は、ＲＧＢＷ４原色のサブピクセル１３Ｒ，１３Ｇ，１３Ｂ，１３Ｗを有していたが、例えば、図１１に示したように、Ｗの代わりにＹ（黄色）のサブピクセル１３Ｙを含んでいてもよい。この場合にも、上記変形例２と同様に、高精細化に伴う消費電力の増加や焼き付きの悪化を低減することができる。
【００６０】
＜３．モジュールおよび適用例＞
以下、上記実施の形態およびその変形例で説明した表示装置１の適用例について説明する。表示装置１は、テレビジョン装置、デジタルカメラ、ノート型パーソナルコンピュータ、携帯電話等の携帯端末装置あるいはビデオカメラなど、外部から入力された映像信号あるいは内部で生成した映像信号を、画像あるいは映像として表示するあらゆる分野の電子機器の表示装置に適用することが可能である。
【００６１】
［モジュール］
表示装置１は、例えば、図１２に示したようなモジュールとして、後述する適用例１〜５などの種々の電子機器に組み込まれる。このモジュールは、例えば、基板３の一辺に、表示パネル１０を封止する部材（図示せず）から露出した領域２１０を設け、この露出した領域２１０に、タイミング生成回路２１、映像信号処理回路２２、データ線駆動回路２３、ゲート線駆動回路２４およびドレイン線駆動回路２５の配線を延長して外部接続端子（図示せず）を形成したものである。外部接続端子には、信号の入出力のためのフレキシブルプリント配線基板（ＦＰＣ；Flexible Printed Circuit）２２０が設けられていてもよい。
【００６２】
［適用例１］
図１３は、表示装置１が適用されるテレビジョン装置の外観を表したものである。このテレビジョン装置は、例えば、フロントパネル３１０およびフィルターガラス３２０を含む映像表示画面部３００を有しており、この映像表示画面部３００は、表示装置１により構成されている。
【００６３】
［適用例２］
図１４は、表示装置１が適用されるデジタルカメラの外観を表したものである。このデジタルカメラは、例えば、フラッシュ用の発光部４１０、表示部４２０、メニュースイッチ４３０およびシャッターボタン４４０を有しており、その表示部４２０は、表示装置１により構成されている。
【００６４】
［適用例３］
図１５は、表示装置１が適用されるノート型パーソナルコンピュータの外観を表したものである。このノート型パーソナルコンピュータは、例えば、本体５１０，文字等の入力操作のためのキーボード５２０および画像を表示する表示部５３０を有しており、その表示部５３０は、表示装置１により構成されている。
【００６５】
［適用例４］
図１６は、表示装置１が適用されるビデオカメラの外観を表したものである。このビデオカメラは、例えば、本体部６１０，この本体部６１０の前方側面に設けられた被写体撮影用のレンズ６２０，撮影時のスタート／ストップスイッチ６３０および表示部６４０を有しており、その表示部６４０は、表示装置１により構成されている。
【００６６】
［適用例５］
図１７は、表示装置１が適用される携帯電話機の外観を表したものである。この携帯電話機は、例えば、上側筐体７１０と下側筐体７２０とを連結部（ヒンジ部）７３０で連結したものであり、ディスプレイ７４０，サブディスプレイ７５０，ピクチャーライト７６０およびカメラ７７０を有している。そのディスプレイ７４０またはサブディスプレイ７５０は、表示装置１により構成されている。
【００６７】
以上、上記各実施の形態および適用例を挙げて本技術を説明したが、本技術はそれらに限定されるものではなく、種々変形が可能である。
【００６８】
例えば、上記実施の形態等では、本技術を表示装置に適用した場合について説明したが、それ以外のデバイス、例えば、照明装置などに適用することも可能である。照明装置の場合には、上記の表示パネルは、発光パネルとなる。
【００６９】
また、上記実施の形態等では、表示装置がアクティブマトリクス型である場合について説明したが、アクティブマトリクス駆動のための画素回路１２の構成は上記実施の形態等で説明したものに限られない。従って、必要に応じて容量素子やトランジスタを画素回路１２に追加することが可能である。その場合、画素回路１２の変更に応じて、上述したタイミング生成回路２１、映像信号処理回路２２、データ線駆動回路２３、ゲート線駆動回路２４およびドレイン線駆動回路２５のほかに、必要な駆動回路を追加してもよい。
【００７０】
また、上記実施の形態等では、データ線駆動回路２３、ゲート線駆動回路２４およびドレイン線駆動回路２５の駆動をタイミング生成回路２１および映像信号処理回路２２が制御していたが、他の回路がこれらの駆動を制御するようにしてもよい。また、データ線駆動回路２３、ゲート線駆動回路２４およびドレイン線駆動回路２５の制御は、ハードウェア（回路）で行われていてもよいし、ソフトウェア（プログラム）で行われていてもよい。
【００７１】
また、上記実施の形態等では、書込トランジスタＴｗｓのソースおよびドレインや、駆動トランジスタＴｄｒのソースおよびドレインが固定されたものとして説明されていたが、いうまでもなく、電流の流れる向きによっては、ソースとドレインの対向関係が上記の説明とは逆になることがある。
【００７２】
また、上記実施の形態等では、書込トランジスタＴｗｓおよび駆動トランジスタＴｄｒがｎチャネルＭＯＳ型のＴＦＴにより形成されているものとして説明されていたが、書込トランジスタＴｗｓおよび駆動トランジスタＴｄｒの少なくとも一方がｐチャネルＭＯＳ型のＴＦＴにより形成されていてもよい。なお、駆動トランジスタＴｄｒがｐチャネルＭＯＳ型のＴＦＴにより形成されている場合には、上記実施の形態等において、有機ＥＬ素子１１の反射電極３２がカソードとなり、有機ＥＬ素子１１の透明電極３５がアノードとなる。また、上記実施の形態等において、書込トランジスタＴｗｓおよび駆動トランジスタＴｄｒは、常に、アモルファスシリコン型のＴＦＴやマイクロシリコン型のＴＦＴである必要はなく、例えば、低温ポリシリコン型のＴＦＴであってもよい。
【００７３】
また、例えば、本技術は以下のような構成を取ることができる。
（１）
発光色の互いに異なる複数種類のサブピクセルを含む複数の画素を備え、
前記複数の画素のうちの１つである注目画素と、その注目画素に隣接して配置された画素である隣接画素とに着目したときに、前記注目画素内の１つのサブピクセルである第１サブピクセルの発光色と、前記第１サブピクセルに隣接する、前記隣接画素内の１つのサブピクセルである第２サブピクセルの発光色とが、互いに等しくなっている
発光パネル。
（２）
前記第１サブピクセルおよび前記第２サブピクセルは、共通の有機層を有するとともに、サブピクセルごとに独立に設けられたアノード電極を有する
（１）に記載の発光パネル。
（３）
前記第１サブピクセルと前記第２サブピクセルとの間の距離は、前記第１サブピクセルと、前記注目画素内の他のサブピクセルとの間の距離よりも狭くなっている
（１）または（２）に記載の発光パネル。
（４）
表示パネルと、前記表示パネルを駆動する駆動回路とを備え、
前記表示パネルは、
発光色の互いに異なる複数種類のサブピクセルを含む複数の画素を有し、
前記複数の画素のうちの１つである注目画素と、その注目画素に隣接して配置された画素である隣接画素とに着目したときに、前記注目画素内の１つのサブピクセルである第１サブピクセルの発光色と、前記第１サブピクセルに隣接する、前記隣接画素内の１つのサブピクセルである第２サブピクセルの発光色とが、互いに等しくなっている
表示装置。
（５）
表示装置を備え、
前記表示装置は、表示パネルと、前記表示パネルを駆動する駆動回路とを有し、
前記表示パネルは、
発光色の互いに異なる複数種類のサブピクセルを含む複数の画素を有し、
前記複数の画素のうちの１つである注目画素と、その注目画素に隣接して配置された画素である隣接画素とに着目したときに、前記注目画素内の１つのサブピクセルである第１サブピクセルの発光色と、前記第１サブピクセルに隣接する、前記隣接画素内の１つのサブピクセルである第２サブピクセルの発光色とが、互いに等しくなっている
電子機器。
【符号の説明】
【００７４】
１…表示装置、１０…表示パネル、１０Ａ…表示領域、１１，１１Ｒ，１１Ｇ，１１Ｂ…有機ＥＬ素子、１２…画素回路、１３，１３Ｒ，１３Ｇ，１３Ｂ…サブピクセル、１４…表示画素、２０…駆動回路、２１…タイミング生成回路、２１Ａ…制御信号、２２…映像信号処理回路、２３…データ線駆動回路、２４…ゲート線駆動回路、２５…ドレイン線駆動回路、３１…回路基板、３２…反射電極、３３…樹脂層、３３Ａ…開口、３４…有機層、３５…透明電極、３００…映像表示画面部、３１０…フロントパネル、３２０…フィルターガラス、４１０…発光部、４２０，５３０，６４０…表示部、４３０…メニュースイッチ、４４０…シャッターボタン、５１０…本体、５２０…キーボード、６１０…本体部、６２０…レンズ、６３０…スタート／ストップスイッチ、７１０…上側筐体、７２０…下側筐体、７３０…連結部、７４０…ディスプレイ、７５０…サブディスプレイ、７６０…ピクチャーライト、７７０…カメラ、Ｃｓ…保持容量、ＤＳＬ…ドレイン線、ＤＴＬ…データ線、Ｔｄｒ…駆動トランジスタ、Ｔｗｓ…書込トランジスタ、ＷＳＬ…ゲート線。
【図１】
2013058323.tif 000003
【図２】
2013058323.tif 000004
【図３】
2013058323.tif 000005
【図４】
2013058323.tif 000006
【図５】
2013058323.tif 000007
【図６】
2013058323.tif 000008
【図７】
2013058323.tif 000009
【図８】
2013058323.tif 000010
【図９】
2013058323.tif 000011
【図１０】
2013058323.tif 000012
【図１１】
2013058323.tif 000013
【図１２】
2013058323.tif 000014
【図１３】
2013058323.tif 000015
【図１４】
2013058323.tif 000016
【図１５】
2013058323.tif 000017
【図１６】
2013058323.tif 000018
【図１７】
2013058323.tif 000019
【図１８】
2013058323.tif 000020
【図１９】
2013058323.tif 000021